【手続補正書】
【提出日】平成19年4月27日(2007.4.27)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
７・ウエストエアトラックに内蔵された３・積層チュウブへ５・手動ポンプから空気を送り３・積層チュウブを膨らませ脊柱を押し広げ１・骨と２・椎間板も密着しているので脊柱を上下に押し広げ骨から突出していた椎間板を積層チュウブの圧迫で収縮するので腰痛もなくなる椎間板牽引治療器。
【請求項２】
足膝関節の痛みを７・足エアトラックに内蔵されている３・積層チュウブへ６・手動ポンプから空気を送り積層チュウブを膨らませ骨と椎間板を押し広げ外に突出していた２・椎間板を足エアトラック内臓の３・積層チュウブで圧迫し収縮させ神経に触れなくさせ膝痛もなくなる椎間板牽引治療器。
【請求項３】
腕間接痛を７・腕エアトラックに内蔵されている３・積層チュウブに６・手動ポンプで空気を送り間接を押し広げ外に突出している２・椎間板を積層チュウブで間接を広げ突出していた椎間板を収縮して元の間接へ戻す椎間板牽引治療器。
【請求項４】
首間板痛を７・首エアトラックに内蔵されている３・積層チュウブに６・手動ポンプで空気を送り間接を押し広げ外に突出している２・椎間板を３・積層チュウブで圧迫し押し広げ椎間板を収縮して元の間接へ戻す椎間板牽引治療器。
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【発明の名称】椎間板牽引治療器
【技術分野】
【０００１】  近年、腰痛、足痛、膝痛、首痛に悩まされる人が増えているのを、医者に頼ってばかりではいられないので、自分でリハビリの積りで、医者が治してくれない腰痛激痛の図面を見ながらウエストトラックに内蔵されている積層チュウブに空気を手動で送り、積層チュウブは膨らみ且つ伸びて、当てられた腰などの骨と椎間板は上下に広がる、骨から突出していた椎間板を積層チュウブの圧力で収縮して元の位置にもどしてやる、今まで激痛に襲われていた腰痛を和らげてくれる椎間板牽引治療器。
【背景技術】
【０００２】    断層条の積層チュウブは送られてた空気でその場で膨らみ、上へ下へと伸びチュウブと密着している脊柱骨盤は上と下へと広がり、骨盤から逸脱していた椎間板の神経は骨盤と骨盤の間に空気で圧迫されるので、今まで突出していた椎間板の神経は元に戻り一寸の動きでは、骨盤の中に治まっている、殆ど痛みは感じない、その後はリハビリとして体操と只歩くことだけです、歩けば脊椎と椎骨をつなぐ靭帯が強化され椎骨と椎骨の間にあって骨同士がぶっからないようにクッションの役目をする靭帯が骨と骨同士が当たらないようになるのです。腰痛体操（１）筋肉や関節の従軟性を保つ、（２）血行を良くする、血液は一つ一つの細胞に酸素や栄養を運んできて、出来た老廃物を運び出してくれる、（３）筋肉を強化するには、歩くことです。歩けば腰の筋肉が強まり椎間板に係る負担も少なくなり自然と腰痛は全快する結果となる。
【発明の開示】
【発明が解決しようとする課題】
【０００３】  今まで、ヘルニアの治療法として（１）痛み止めの内服薬、座薬、（２）神経ブロック療法  注射によって痛みを発している脊髄周辺に直接、薬剤を注入して痛みの悪循環を断ち切る注射、（３）牽引療法  膝や両足にベルトをかけその先端に錘をつけて背骨を引き伸ばす牽引療法（４）コルセット腰椎を外側から固定して椎間板にかかる負担を少なくする、（５）切開手術（ヘルニア切開手術）があった、切開手術をしてもその当座は良いが又、取残した椎間板ヘルニアが再び脱出してきて症状が再発するケースも多い。
【課題を解決するための手段】
【０００４】  痛みの根本は間接椎間板の突起又は逸脱から始まるので、骨と椎間板の間を広げ、逸脱している椎間板を元の位置に戻す装置として、椎間板治療器を腰に巻いて治療する。
本発明の椎間板牽引治療器は人体の脊椎下部で、骨盤の上部の屈折し得る部分に椎間板牽引治療器を当て、椎間板牽引治療器の断層状のチュウブに手動で空気を送ると、空気で膨らみ、骨と椎間板と密着したチュウブは、上下に広がるので骨と椎間板も上下へ共に広がり、今まで、骨外に突出していた（ヘルニア）椎間板は、元に戻ろうとして骨と骨の間に収まる。収まった椎間板は、触れるものが無いので、神経の痛みも無くなり元の健康体へと戻る椎間板牽引治療器。
【発明の効果】
【０００５】  本発明は、医者を忌むものではありませんが、それぞれの大衆に痛みを治すのに手術もせず、手っ取り早く只、腰痛牽引治療器を腰に巻いて試してみれば、今まで人手を借りてしか行けなったが、一晩で腰痛が和らいで自分一人で起きてトイレに行けるようになる。痛みを無くす為と歩く為の腰椎牽引治療器。
【発明を解決する為の最良の形態】
【０００６】  （１）風呂上り又体を拭いて、骨盤の痛い個所の真上にウェストエアトラックを装着し手動で空気を入れ膨らませ、腰椎ヘルニアを（腰椎と椎間板）積層チュウブで圧迫して収縮して骨盤内へ戻してやるので神経を圧迫しなくなる椎間板牽引治療器。
（２）断層状の断層チュウブに手動で送られたは空気はその場で膨らみ、断層の如く密着したチュウブで脊椎を上へ下へと押し広げ、突き出ていた腰椎の神経が周囲にあたらぬよう押し広げ元の位置に戻す椎間板牽引治療器。
（３）ウエストエアトラックはＳ、Ｍ、Ｌ、ＬＬ、と各個人によって太さが違うので、製作の段階でウエスト背部に、フリーと為るよう蛇腹にして（使用時端ボタンを外して自分のサイズに合わせ装着又痛みに速効性を持つトルマリンを圧着）拡大、縮小を設けている。
（４）材質  ウエストは合成樹脂、合成皮革、エアポンプ、エアホース、積層チュウブ、チュウブポケット、伸縮自在の蛇腹式からなる、必要の無い時は折り畳んで置く。
【産業上の利用可能性】
【０００７】  今まで、腰椎持ちの人は腰が痛くて歩けなかったが椎間板牽引治療器を腰に巻いて歩くと中に内蔵されている積層チュウブからの空気圧迫で脊柱は上下に開き痛みの元、椎間板神経は収縮して痛みはなくなる、歩けるので血液の循環が良くなり一つ一つの細胞に酸素や栄養を運んできて老廃物を運び出してくれます、歩くと腰椎筋肉がしっかりしてきて背骨もキープされ椎間板にかかる負担も少なくなる、歩ける椎間板牽引治療器。【０００８】  老年齢は、足腰の弱い貧困者ばかりであるが、成型又治せる病院は保険が利かない。之を解決する為に政府厚労省は、今の介護保険を廃止して、弱者、壮年、老人の為（介護保険料は貧富の差がなく同率徴収される）保険が利く看護士程度の医局を各都道府県に開いて貰いたい。
【図面の簡単な説明】
【０００９】
【図１】  ウェストエアトラック内の構成図である。
【図２】  突出した椎間板、圧迫された神経根  広がった椎間間隔  収縮した椎間板圧迫なしの腰部写真図面である。
【符号の説明】
【０００１０】    １  骨
２  椎間板
３  積層チュウブ
４  空気孔
５  蛇腹に折り畳んで一方に倒す前の状態（トルマリン内側圧着）
６  手動ポンプ
７  ウエストエアトラック（マジックテープ付き）
８  蛇腹式（トルマリン内側圧着）
９  ボタン
１０  ボタン穴
【手続補正３】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
2005305079.tif 000001
【図２】
2005305079.tif 000002
【手続補正４】
【補正対象書類名】手続補正書
【補正対象項目名】手続補正４
【補正方法】削除
【補正の内容】